【事件の表示】
　平成　９年特許願第５２７７７５号「複数対の埋込みサーボバーストを使用したディスク駆動装置」拒絶査定不服審判事件〔平成　９年　８月　７日国際公開、ＷＯ９７／２８５２９、平成１２年　４月　４日国内公表、特表２０００−５０４１３８〕について、次のとおり審決する。
【結　論】
　本件審判の請求は、成り立たない。
【理　由】
第１　手続の経緯
　
　本願は、平成９年１月２８日(パリ条約による優先権主張外国庁受理　平成８年１月３０日　米国）を国際出願日とする出願であって、平成１９年２月２８日付けで通知した拒絶理由に対して同年９月１２日付けで手続補正がなされたが、平成２０年１月３１日付けで拒絶査定がなされ、これに対し、同年５月１２日に拒絶査定不服審判が請求されるとともに、同年６月１１日付けで特許請求の範囲について手続補正がなされたものである。
　　その後、平成２１年１０月９日付けで前置報告書の内容に基づく審尋がなされたが、回答書は提出されなかったものである。 
　
第２　平成２０年６月１１日付けの手続補正についての補正却下の決定
　
〔補正却下の決定の結論〕
　
　平成２０年６月１１日付けの手続補正（以下、「本件補正」という。）を却下する。
　
〔理　由〕
　
１．本件補正 
　
　本件補正は、特許請求の範囲についてするもので、特許請求の範囲については、補正前請求項１に補正前の請求項２ないし請求項４の内容を実質的に取り込むとともに、補正前の請求項１に「バーストの相対振幅を含むデータ変換ヘッドの１回の操作でデータ変換ヘッドの位置を決定する」と、また、補正前の請求項４に「第１相対振幅が第１および第２バースト間の、バースト振幅のあらゆる変化を考慮に入れるための第１の重み係数を加えた差を含み」「第２相対振幅が第３および第４バースト間の、バースト振幅のあらゆる変化を考慮に入れるための第２の重み係数を加えた差を含み」とあったところを、「第１および第２バースト間の第１相対振幅を決定するために第１および第２バースト（Ａ，Ｂ）を読出してその差（Ａ−Ｂ）を求め、該差（Ａ−Ｂ）を読み出した第１と第２のバーストの和（Ａ＋Ｂ）で割る段階と、第３および第４バースト間の第２相対振幅を決定するために第３および第４バースト（Ｃ，Ｄ）を読出してその差（Ｃ−Ｄ）を求め、該差（Ｃ−Ｄ）を読み出した第３と第４のバーストの和（Ｃ＋Ｄ）で割る段階とを有するヘッドの位置の決定方法」と、相対振幅を決定するためにバースト（Ａ，Ｂ，Ｃ，Ｄ）を読み出すこと、及び補正前請求項４に記載の重み係数に限定を加えることで請求項１とするものであって、特許請求の範囲を減縮しようとするものであると認められる。
　なお、ここで、補正前の請求項１の前記「バーストの相対振幅を含むデータ変換ヘッドの１回の操作でデータ変換ヘッドの位置を決定する」なる意味は明確でないものの、補正前請求項１第１段落の「多数の同心トラックのうちの選定した１つのトラックに対するデータ変換ヘッドのヘッド位置を決定する方法であって、」なる記載、及び、本願の平成１９年９月１１日付け意見書の説明（２）の説明を参酌すると、前記意味は、一つのトラックに対するデータ変換ヘッドのヘッドの位置を、ＡバーストとＢバーストとの対とＣバーストとＤバーストの対を用いて演算（操作）することの上位概念と解されるから、補正後の請求項１は、補正前の特許請求の範囲を減縮するものと解した。
　
　また、補正前請求項１ないし３を含む補正前請求項４を引用する補正前請求項５は、本件補正の請求項１を引用して請求項２とするものであり、補正前請求項１ないし４を含む補正前請求項５を引用する補正前請求項６は、本件補正の請求項２を引用して請求項３とするものである。
　
　さらに、補正前請求項１ないし４を含む補正前請求項５を引用する補正前請求項７は、本件補正の請求項３を引用して請求項４とするものであり、補正前請求項１ないし４を含む補正前請求項５を引用する補正前請求項８は、本件補正の請求項１を引用する請求項５、請求項２を引用する請求項６、請求項３を引用する請求項７、請求項４を引用する請求項８とするものである。
　
　よって、本件補正の請求項１ないし８は、平成１８年法律第５５号改正附則第３条第１項によりなお従前の例によるとされる同法による改正前の特許法第１７条の２第４項第２号に掲げる事項を目的とするものに該当する。
　
　そこで、本件補正後における特許請求の範囲に記載されている事項により特定される発明が特許出願の際独立して特許を受けることができるものであるか（平成１８年法律第５５号改正附則第３条第１項によりなお従前の例によるとされる同法による改正前の特許法第１７条の２第５項において準用する同法第１２６条第５項に規定する要件を満たすか）否かを、請求項１に係る発明（以下、「本願補正発明」という。）について以下に検討する。
　
　本願補正発明は、次に記載するとおりのものである。
　
「磁気ディスク駆動装置内で少なくとも１つの事前記録されたサーボセクタを有する多数の同心トラックのうちの選定した１つのトラックに対するデータ変換ヘッドのヘッド位置を決定する方法であって、
　各々がバースト振幅を与えると共にサーボセクタ内に位置された、時間的に互い違いとされた半径方向のバースト幅を有する少なくとも第１、第２、第３および第４のサーボバーストを備える段階とを有し、
　第１および第２サーボバーストは一般にバースト幅だけ半径方向に互いに偏倚されて、第１および第２バーストの各々の縁が実質的に同じ直線上に位置している第１トラック空白を形成し、また第３および第４サーボバーストは少なくとも１つのバースト幅だけ互いに半径方向に偏倚されて、第３および第４バーストの各々の縁が実質的に同じ直線上に位置している第２トラック空白を形成し、また第３および第４サーボバーストはバースト幅の半分の長さだけ第１および第２バーストから半径方向に偏倚されており、
　さらに、
　サーボセクタの存在を検出する段階と、
　第１および第２バースト間の第１相対振幅を決定するために第１および第２バースト（Ａ，Ｂ）を読出してその差（Ａ−Ｂ）を求め、該差（Ａ−Ｂ）を読み出した第１と第２のバーストの和（Ａ＋Ｂ）で割る段階と、
　第３および第４バースト間の第２相対振幅を決定するために第３および第４バースト（Ｃ，Ｄ）を読出してその差（Ｃ−Ｄ）を求め、該差（Ｃ−Ｄ）を読み出した第３と第４のバーストの和（Ｃ＋Ｄ）で割る段階とを有するヘッド位置の決定方法。」
　
２．先願明細書及びその記載
　
（１）先願明細書
　
　原査定の拒絶の理由に引用された、本願の優先権主張の日前の他の出願であって、その出願後に出願公開された、特願平８−７１４１号(特開平９−１９８８１７号）の願書に最初に添付された明細書又は図面（以下、「先願明細書」という。）には、以下の技術事項が記載されている。なお、下線は当審で付した。
　
（ａ）「【０００１】
【発明の属する技術分野】
本発明は、磁気ディスク装置のヘッド位置検出方法に係わり、特に、２相以上の多相サーボパターンから復調した各信号を切り換えることによって、位置に対して線形性の良好な位置信号を作成する方法および、該位置信号により、ヘッドを位置決めする磁気ディスク装置に関するものである。
【０００２】
【従来の技術】磁気ディスク装置では、データ情報の読み取りまたは書き込みを行う場合、
ヘッドをディスク上に同心円状に形成されているトラックに対して高精度に位置決めする動作が必要とされる。
　
（ｂ）「【０００５】
通常、磁気ディスク装置においては、ヘッドのディスク面上の位置を特定できるように、一般にサーボトラックライタと呼ばれる装置であらかじめディスク上に位置情報を記録しておく。ディスク上に記録される位置情報の一例を図２に示す。図２（Ａ）は、セクターサーボ方式のディスク面の概略図であり、図２（Ｂ）は、図２（Ａ）のＭ部を拡大した位置情報記録領域の概略図である。
位置情報は通常図２（Ｂ）に示すようなＡバースト部４２、Ｂバースト部４３、Ｃバースト部４４、Ｄバースト部４５の繰り返しパターンにより構成される。ヘッド位置は、ヘッドが各バースト部を横切るときのＡバースト、Ｂバーストの出力差として定義されるＮ信号または、Ｃバースト、Ｄバーストの出力差として定義されるＱ信号により決定される。例えば、図２（Ｂ）の再生用ヘッド４１の位置ではＡバーストとＢバーストの出力が等しく、Ｎ信号＝０、Ｑ信号＝Ｃバーストの出力、となる。
次に位置信号の相切り換えおよび、Ｎ信号およびＱ信号とヘッド位置の関係について述べる。図３（Ａ）は、ヘッド位置と前記Ｎ信号およびＱ信号の関係を示した図である。再生用ヘッド４１を図２（Ｂ）の位置からディスク半径方向、例えば図２（Ｂ）において右方向に徐々に移動させるとき、Ａバースト出力が増加しＢバースト出力が減少するため、前記Ｎ信号はヘッドの移動に対して徐々に増加する。そして、さらに再生用ヘッド４１を移動させると、再生用ヘッド４１の幅がトラックピッチより狭いため、やがて再生用ヘッド４１はＡバースト幅の中に完全に入ってしまいＢバーストの影響を受けなくなる。このためＮ信号は最大値付近でなめらかなピークをもつ図３（Ａ）に示すような形状となる。なお、図２（Ｂ）に示したとおり、ＣバーストおよびＤバーストは、ＡバーストおよびＢバーストをディスク半径方向に１／２トラックピッチだけずらした位置に記録されているため、Ｑ信号はＮ信号をヘッド位置方向へ１／２トラックピッチだけ平行移動させた形状となる。
上述したＮ信号およびＱ信号のうち、位置信号ゲイン（信号の傾き）の変化の小さい範囲を選択しつなぎあわせることによって位置信号を作成する方法として、以下のような操作を行うことが一般に知られている。この方法について以下図３（Ｂ）および（Ｃ）を用いて説明する。
まず、Ｎ信号の絶対値とＱ信号の絶対値を比較して、絶対値の小さい信号を選択する。このとき、信号が右上がりの直線となるように必要に応じて符号を反転させ、Ｎｉ信号およびＱｉ信号を作成する（図３（Ｂ））。ここでＮ信号の絶対値とＱ信号の絶対値が等しい点が位置信号の切り換え点となる。つぎに、トラックピッチ内でヘッド位置の増加に対応して位置信号が増加するように図３（Ｂ）のＱｉ信号を２Ｖ0または−２Ｖ0オフセットさせて位置信号をつなぎ合わせＱc信号５１を作成する。この結果、図３（Ｃ）に示すような位置信号が作成される。
　
（ｃ）「【００１８】本発明の他の目的は、ヘッド位置によらず前記切り換え点の電圧で規格化するようにサーボゲインを自動調整することにある。
【００１９】さらに、本発明の目的は、ＭＲヘッドの再生感度分布などに起因する前記Ｎ信号およびＱ信号の非線形性を補正するように、位置信号を計算することにある。
【００２０】
【課題を解決するための手段】上記目的を達成するために、本発明では、Ｎ信号とＱ信号両方の情報を用いて、ディスク上の全ての半径方向位置においてＮ信号とＱ信号の交点の電圧で規格化するように、Ｎ信号およびＱ信号の値をサンプリングごとに毎回補正する機能を装置に付加した。つまりＮ信号およびＱ信号を、例えば
 Ｎ’信号＝Ｎ信号／√（｜Ｎ信号｜２＋｜Ｑ信号｜２）  （式１）
 Ｑ’信号＝Ｑ信号／√（｜Ｎ信号｜２＋｜Ｑ信号｜２）  （式２）
のようにサンプリングごとのＮ信号およびＱ信号の値を用いて補正する。このとき、Ｎ信号＝Ｑ信号のとき式１および式２の計算結果はいずれも１／√２となる。したがって、図４（Ｃ）に示すようにＮ’信号およびＱ’信号を用いれば切り換え点のオフセット量を２／√２とすることにより必ず連続した位置信号が作成される。
【００２１】また、常にＮ信号とＱ信号の交点で規格化されるためサーボゲインの自動調整も同時に達成されることとなる。」
　
（ｄ）「【００２４】この磁気ディスク装置においては、中央制御部１（ＣＰＵ）から記録もしくは再生の命令がディスクコントローラ２に送られると、ディスクコントローラ２は、ヘッド９を特定位置に位置決めするようマイクロプロセッサ３に指令を出す。ヘッド９を位置決めするための信号は、ヘッド９により位置情報記録領域１２からの信号を再生することにより作成される。位置情報は図２（Ｂ）に示すようなパターンからなっており、
ヘッド９がＡバースト部４２、Ｂバースト部４３、Ｃバースト部４４、Ｄバースト部４５を横切るときに得られる各々の信号は、リードライト（Ｒ／Ｗ）ＩＣ１５、オートマチックゲインコントロール（ＡＧＣ）アンプ１６、全波整流回路１８を介して、ピークホールド（Ｐ／Ｈ）回路１９〜２２に供給され、各々Ａ信号２３、Ｂ信号２４、Ｃ信号２５、Ｄ信号２６として再生される。Ａ信号２３、Ｂ信号２４、Ｃ信号２５およびＤ信号２６は、作動増幅アンプ３３、３４へ送られ２相の位置信号Ｎ信号２７およびＱ信号２８が再生される。
ヘッド９が位置決めされると、書き込み回路１４または読み取り回路１７によりヘッド９は、ディスク１１のトラック上にデータの記録または再生を行う。
　
（ｅ）「【００３０】なお、本発明では、Ｎ’信号およびＱ’信号の演算として式１および式２を用いて説明したが、ｎを任意の自然数としたとき
 Ｎ’信号＝Ｎ信号／（｜Ｎ信号｜ｎ＋｜Ｑ信号｜ｎ）１／ｎ  （式３）
 Ｑ’信号＝Ｑ信号／（｜Ｎ信号｜ｎ＋｜Ｑ信号｜ｎ）１／ｎ  （式４）
などの演算より実施してもよく、本発明は演算式の形を限定するものではない。
【００３１】また、本発明では、Ｎ信号２７とＱ信号２８の作成を演算回路を用いて説明したが、各バースト部の再生信号Ａ信号２３、Ｂ信号２４、Ｃ信号２５およびＤ信号２６をＡ／Ｄ変換し、マイクロプロセッサ３を用いてＮ信号２７とＱ信号２８の演算を行ってもよく、
さらに Ｎ信号＝（Ａ信号−Ｂ信号）／（｜Ａ信号｜＋｜Ｂ信号｜） （式５） Ｑ信号＝（Ｃ信号−Ｄ信号）／（｜Ｃ信号｜＋｜Ｄ信号｜） （式６）のように規格化した信号を用いることもできる。
　
（ｆ）図面第２図には、セクターサーボ方式のディスクにおいて、位置信号記録領域内に、時間的に互い違いとされた半径方向のバースト幅を有し、Ａバースト部４２、Ｂバースト部４３は、バースト幅だけ半径方向に互いにずれ、かつ、Ａバースト部４２、Ｂバースト部４３の各々の縁が実質的に同じ直線上に位置し、また、Ｃバースト部４４、Ｄバースト部４５は、バースト幅だけ互いに半径方向にずれ、かつ、Ｃバースト部４４、Ｄバースト部４５の各々の縁が実質的に同じ直線上に位置するものであって、Ｃバースト部４４及びＤバースト部４５はバースト幅の半分の長さだけＡバースト部４２、Ｂバースト部４３から半径方向にずれている、バースト部のパターンが示されている。
　
　
　上記先願明細書記載事項及び図面の記載を総合勘案すると、先願明細書には、結局、次の発明が記載されている（以下、「先願発明」という。）。
　
「磁気ディスク装置においてあらかじめセクターサーボ方式によって記録された位置情報を有する同心円上に形成されたトラックに対してヘッドを位置決めする方法であって、
　位置情報は、位置情報記録領域に配置された、Ａバースト、Ｂバースト、Ｃバースト、Ｄバーストにより構成され、各々がバースト出力すると共に位置情報記録領域に配置された、時間的に互い違いとされた半径方向のバースト幅を有する、Ａバースト、Ｂバースト、Ｃバースト、Ｄバーストを備え、ＡバーストおよびＢバーストは、バースト幅だけ半径方向に互いにずれ、かつ、ＡバーストおよびＢバースト部の各々の縁が実質的に同じ直線上に位置し、また、ＣバーストおよびＤバーストは、バースト幅だけ互いに半径方向にずれ、かつ、Ｃバースト、Ｄバーストの各々の縁が実質的に同じ直線上に位置するものであって、Ｃバースト及びＤバーストはバースト幅の半分の長さだけＡバースト、Ｂバーストから半径方向にずれており、さらに、ＡバーストおよびＢバーストの出力差として定義されるＮ信号を求めるために、Ｎ信号＝（Ａ信号−Ｂ信号）／（｜Ａ信号｜＋｜Ｂ信号｜）を用い、
 ＣバーストおよびＤバーストの出力差として定義されるＱ信号を求めるために、 Ｑ信号＝（Ｃ信号−Ｄ信号）／（｜Ｃ信号｜＋｜Ｄ信号｜）を用いてヘッド位置を検出する、
ヘッド位置検出方法。」
　
　
３．対比
　
　本願補正発明を、先願発明と対比する。
　
（Ａ）先願発明における「磁気ディスク装置」は、磁気ディスクを駆動するものであるから、本願補正発明の「磁気ディスク駆動装置」に相当し、また、先願発明の「ヘッド」は、データの記録または再生を行うものであるから、本願補正発明の「データ変換ヘッド」に相当する。
　
（Ｂ）先願発明も「トラックに対してヘッドを位置決めする」ものであって、ヘッドを位置決めする際に、位置決めする対象トラックを選定することは明らかであるから、先願発明の「あらかじめセクターサーボ方式によって記録された位置情報を有する同心円上に形成されたトラックに対してヘッドを位置決めする方法」は、本願補正発明の「少なくとも１つの事前登録されたサーボセクタを有する多数の同心トラックのうちの選定した１つのトラックに対するデータ変換ヘッドのヘッド位置を決定する方法」に相当する。
　
（Ｃ）先願発明の「位置情報記録領域」はセクターサーボ方式によって設けられた領域であるから、「サーボセクタ」であることは明らかであり、また、先願発明の各「バースト」もヘッドによって所定の振幅を検出するためのものである。よって、先願発明の「各々がバースト出力すると共に位置情報記録領域に配置された、時間的に互い違いとされた半径方向のバースト幅を有する、Ａバースト、Ｂバースト、Ｃバースト、Ｄバーストを備え」ることは、本願補正発明の「各々がバースト振幅を与えると共にサーボセクタ内に位置された、時間的に互い違いとされた半径方向のバースト幅を有する少なくとも第１、第２、第３および第４のサーボバーストを備える」ことに相当する。
　
（Ｄ）先願発明の「ＡバーストおよびＢバーストは、バースト幅だけ半径方向に互いにずれ、かつ、ＡバーストおよびＢバースト部の各々の縁が実質的に同じ直線上に位置し、また、ＣバーストおよびＤバーストは、バースト幅だけ互いに半径方向にずれ、かつ、Ｃバースト、Ｄバーストの各々の縁が実質的に同じ直線上に位置するものであって、Ｃバースト及びＤバーストはバースト幅の半分の長さだけＡバースト、Ｂバーストから半径方向にずれて」いることは、本願補正発明の「第１および第２サーボバーストは一般にバースト幅だけ半径方向に互いに偏倚されて、第１および第２バーストの各々の縁が実質的に同じ直線上に位置し」、「また第３および第４サーボバーストは少なくとも１つのバースト幅だけ互いに半径方向に偏倚されて、第３および第４バーストの各々の縁が実質的に同じ直線上に位置し」、「また第３および第４サーボバーストはバースト幅の半分の長さだけ第１および第２バーストから半径方向に偏倚されて」いることに相当する。
　
（Ｅ）先願発明の「ＡバーストおよびＢバーストの出力差として定義されるＮ信号を求める」こと、「ＣバーストおよびＤバーストの出力差として定義されるＱ信号を求める」ことは、それぞれ、ＡバーストおよびＢバーストの「相対振幅」、ＣバーストおよびＤバーストの「相対振幅」を決定することであり、また、本願補正発明の「第１と第２のバーストの和（Ａ＋Ｂ）で割る」段階、「第３と第４のバーストの和（Ｃ＋Ｄ）で割る段階」において、読み出される各バースト（Ａ，Ｂ，Ｃ，Ｄ）は振幅の大きさに対応するものであって負の値をとらないことは明らかであるから、先願発明の「ＡバーストおよびＢバーストの出力差として定義されるＮ信号を求めるために、Ｎ信号＝（Ａ信号−Ｂ信号）／（｜Ａ信号｜＋｜Ｂ信号｜）を用い、ＣバーストおよびＤバーストの出力差として定義されるＱ信号を求めるために、Ｑ信号＝（Ｃ信号−Ｄ信号）／（｜Ｃ信号｜＋｜Ｄ信号｜）を用いて、ヘッド位置を検出する、ヘッド位置検出方法」は、本願補正発明の「第１および第２バースト間の第１相対振幅を決定するために第１および第２バースト（Ａ，Ｂ）を読出してその差（Ａ−Ｂ）を求め、該差（Ａ−Ｂ）を読み出した第１と第２のバーストの和（Ａ＋Ｂ）で割る段階と、第３および第４バースト間の第２相対振幅を決定するために第３および第４バースト（Ｃ，Ｄ）を読出してその差（Ｃ−Ｄ）を求め、該差（Ｃ−Ｄ）を読み出した第３と第４のバーストの和（Ｃ＋Ｄ）で割る段階とを有するヘッド位置の決定方法」に相当する。
　
　すると、本願補正発明と先願発明とは、次の＜一致点＞及び＜相違点＞を有する。
　
＜一致点＞
  「磁気ディスク駆動装置内で少なくとも１つの事前記録されたサーボセクタを有する多数の同心トラックのうちの選定した１つのトラックに対するデータ変換ヘッドのヘッド位置を決定する方法であって、
　各々がバースト振幅を与えると共にサーボセクタ内に位置された、時間的に互い違いとされた半径方向のバースト幅を有する少なくとも第１、第２、第３および第４のサーボバーストを備える段階とを有し、
　第１および第２サーボバーストは一般にバースト幅だけ半径方向に互いに偏倚されて、第１および第２バーストの各々の縁が実質的に同じ直線上に位置し、また第３および第４サーボバーストは少なくとも１つのバースト幅だけ互いに半径方向に偏倚されて、第３および第４バーストの各々の縁が実質的に同じ直線上に位置し、また第３および第４サーボバーストはバースト幅の半分の長さだけ第１および第２バーストから半径方向に偏倚されており、
　さらに、
　第１および第２バースト間の第１相対振幅を決定するために第１および第２バースト（Ａ，Ｂ）を読出してその差（Ａ−Ｂ）を求め、該差（Ａ−Ｂ）を読み出した第１と第２のバーストの和（Ａ＋Ｂ）で割る段階と、
　第３および第４バースト間の第２相対振幅を決定するために第３および第４バースト（Ｃ，Ｄ）を読出してその差（Ｃ−Ｄ）を求め、該差（Ｃ−Ｄ）を読み出した第３と第４のバーストの和（Ｃ＋Ｄ）で割る段階とを有するヘッド位置の決定方法。」
　
＜相違点＞
　
（相違点１）
　本願補正発明では、「第１トラック空白を形成し」また、「第２トラック空白を形成し」ているのに対し、先願発明では、「トラック空白」について特定されていない点
　
（相違点２）
　本願補正発明では、「サーボセクタの存在を検出する段階」を有しているのに対し、先願発明では、この段階について特定されていない点
　
　４．判断
　
（１）相違点１について
　本願補正発明の、「トラック空白」についての技術的意味が明確ではないが、本願明細書５頁５行ないし１１行の「第１および第２サーボバーストは一般にバースト幅で互いに半径方向に偏倚され、第１および第２サーボバーストの各々の縁が実質的に同一線上に位置し、第１トラック空白（ヌル）を形成するようになされている。第３および第４サーボバーストは少なくともバースト幅で互いに半径方向に偏倚され、第３および第４サーボバーストの各々の縁が実質的に同一線上に位置し、第２トラック空白（ヌル）を形成するようになされている。」なる記載、同明細書１０頁７行ないし１１行の「バースト対における両バーストから読出された信号１００または１０２の差がゼロとなるＡＢ，ＢＡ，ＣＤおよびＤＣとラベル付けした各々のバースト対の縁部の位置は、「トラック空白」として参照される。トラック空白に近い領域におけるバースト対から読出された信号の電気的な振幅波形は直線形となり、ヘッド位置を決定するのに最も適したものとなる。」なる記載に加え、本願意見書（平成１９年９月１１日付）（２）１０行ないし１１行の「「トラック空白」については、明細書第１０頁第８行から第１０行までに説明してあるように、各々のバースト対の縁部の位置のことであります。」なる記載を参酌すれば、「トラック空白」は「各々のバースト対の縁部の位置」を意味するものと解される。したがって、先願発明も、「ＡバーストおよびＢバースト部の各々の縁が実質的に同じ直線上に位置し」ている「各々のバースト対の縁部の位置（第１トラック空白）を形成」し、「Ｃバースト、Ｄバーストの各々の縁が実質的に同じ直線上に位置」している「各々のバースト対の縁部の位置（第２トラック空白）を形成」しているものであって、この点に実質的な相違を有しない。
　
（２）相違点２について
　セクターサーボ方式においてサーボセクタの存在を検出することは、周知慣用手段であるから、先願発明は、この点において、本願補正発明と実質的に同一である。
　
５．本件補正についての結び
　したがって、本願補正発明は、先願明細書に記載された発明と同一であり、しかも、本願補正発明の発明者が先願明細書に記載された発明の発明者と同一であるとも、また、本願の出願時に、その出願人が上記先願の出願人と同一であるとも認められないから、本願補正発明は、特許法第２９条の２の規定により、特許出願の際独立して特許を受けることができないものであって、本件補正は、平成１８年法律第５５号改正附則第３条第１項によりなお従前の例によるとされる同法による改正前の特許法第１７条の２第５項で準用する同法第１２６条第５項の規定に違反するものであり、同法第１５９条第１項で読み替えて準用する同法第５３条第１項の規定により却下すべきものである。
　
第３　本願発明について
　
１．本願発明
　
　平成２０年６月１１日付けの手続補正は上記のとおり却下されたので、本願の請求項１に係る発明（以下、「本願発明」という。）は、平成１９年９月１２日付けで手続補正された特許請求の範囲の請求項１に記載された次のとおりのものである。
　
　「１．磁気ディスク駆動装置内で少なくとも１つの事前記録されたサーボセクタを有する多数の同心トラックのうちの選定した１つのトラックに対するデータ変換ヘッドのヘッド位置を決定する方法であって、各々がバースト振幅を与えると共にサーボセクタ内に位置された、少なくとも４つの半径方向に偏倚され、時間的に互い違いとされた１組のサーボバーストを備える段階と、サーボセクタの存在を検出する段階と、バーストの相対振幅を決定するためにバースト振幅を読出す段階と、バーストの相対振幅を含むデータ変換ヘッドの１回の操作でデータ変換ヘッドの位置を決定する段階とを含むヘッド位置の決定方法。」
　
２．先願明細書
　
　原査定の拒絶の理由で引用された先願明細書及びその記載事項は、前記「第２　２．」に記載したとおりである。
　
３．対比・判断
　
　本願発明は、上記「第２」で検討した本願補正発明から、補正前の請求項２ないし請求項４の限定、および「第１および第２バースト間の第１相対振幅を決定するために第１および第２バースト（Ａ，Ｂ）を読出してその差（Ａ−Ｂ）を求め、該差（Ａ−Ｂ）を読み出した第１と第２のバーストの和（Ａ＋Ｂ）で割る段階と、第３および第４バースト間の第２相対振幅を決定するために第３および第４バースト（Ｃ，Ｄ）を読出してその差（Ｃ−Ｄ）を求め、該差（Ｃ−Ｄ）を読み出した第３と第４のバーストの和（Ｃ＋Ｄ）で割る段階とを有する」なる限定を削除し、本願補正発明の上位概念である、「バーストの相対振幅を決定するためにバースト振幅を読み出す段階」、「バーストの相対振幅を含むデータ変換ヘッドの１回の操作でデータ変換ヘッドの位置を決定する段階」を発明の特定事項としたものに相当する。
　
　そうすると、本願発明の特定事項を全て含み、更に他の特定事項を付加したものに相当する本願補正発明が前記「第２　〔理　由〕　４．判断」に示したとおり、先願明細書に記載された発明と同一であるから、本願発明も、同様の理由により、先願明細書に記載された発明と同一である。
　
４．むすび
　
　以上のとおり、本願請求項１に係る発明は、特許法第２９条の２の規定により特許を受けることができないものであるから、その余の請求項に論及するまでもなく、本願は拒絶すべきものである。
　
　よって、結論のとおり審決する。